(57)【要約】【課題】左右勝手などに対応して容易に表示設定が可能となる施解錠表示キーの構造を提供する。【解決手段】施解錠表示キー１１の構造において、鍵１７と、鍵１７の頭部２１に装着される装置本体１９と、鍵１７のキー穴１４７への挿入を検知する挿入検知手段３１と、挿入検知手段３１に連動し、装置本体１９内で鍵１７の挿抜方向に摺動自在または揺動自在に設けられる移動体３７と、移動体３７の表面に設けられ交互に複数が挿抜方向に並べられる解錠表示部３５及び施錠表示部２９と、鍵１７の回転方向の操作に応じて移動体３７の摺動範囲または揺動範囲を設定する回転方向検出手段４０と、装置本体１９に移動自在または着脱自在に設けられ挿抜方向中央部から解錠表示部３５及び施錠表示部２９の一つ分だけ挿抜方向のいずれか一方に変位可能となって解錠表示部３５と施錠表示部２９のいずれか一方を選択的に表出させる表示部切替手段３３と、を設けた。【選択図】  図４
2013019220.tif 000002
【特許請求の範囲】
【請求項１】
鍵と、
前記鍵の頭部に装着される装置本体と、
前記鍵のキー穴への挿入を検知する挿入検知手段と、
前記挿入検知手段に連動し、前記装置本体内で前記鍵の挿抜方向に摺動自在または揺動自在に設けられる移動体と、
前記移動体の表面に設けられ交互に複数が前記挿抜方向に並べられる解錠表示部及び施錠表示部と、
前記鍵の回転方向の操作に応じて前記移動体の摺動範囲または揺動範囲を設定する回転方向検出手段と、
前記装置本体に移動自在または着脱自在に設けられ挿抜方向中央部から前記解錠表示部及び前記施錠表示部の一つ分だけ前記挿抜方向のいずれか一方に変位可能となって前記解錠表示部と前記施錠表示部のいずれか一方を選択的に表出させる表示部切替手段と、
を具備することを特徴とする施解錠表示キーの構造。
【請求項２】
既存鍵の頭部に装着される装置本体と、
キー穴への挿入を検知する挿入検知手段と、
前記挿入検知手段に連動し、前記装置本体内で挿抜方向に摺動自在または揺動自在に設けられる移動体と、
前記移動体の表面に設けられ交互に複数が前記挿抜方向に並べられる解錠表示部及び施錠表示部と、
鍵の回転方向の操作に応じて前記移動体の摺動範囲または揺動範囲を設定する回転方向検出手段と、
前記装置本体に移動自在または着脱自在に設けられ挿抜方向中央部から前記解錠表示部及び前記施錠表示部の一つ分だけ前記挿抜方向のいずれか一方に変位可能となって前記解錠表示部と前記施錠表示部のいずれか一方を選択的に表出させる表示部切替手段と、
を具備することを特徴とする施解錠表示キーの構造。
【請求項３】
請求項１又は２記載の施解錠表示キーの構造であって、
前記挿入検知手段が、
前記鍵の挿入でキー穴周部から受ける反力にて前記装置本体に後退するトリガーよりなることを特徴とする施解錠表示キーの構造。
【請求項４】
請求項１又は２又は３記載の施解錠表示キーの構造であって、
前記回転方向検出手段が、
前記装置本体に設けられる空間部と、
該空間部に収容されて重力により可動自在となる位置検出手段と、
を具備するとともに、
前記移動体に連結され、前記位置検出手段の移動位置に応じて前記空間部への突出が許容または阻止される検出ボスを備えることを特徴とする施解錠表示キーの構造。
【請求項５】
請求項１，２，３，４のいずれか１つに記載の施解錠表示キーの構造であって、
前記表示部切替手段が、
表示窓部を有し前記装置本体に着脱自在なカバー体を備え、
前記カバー体が前記装置本体に着脱自在となって１８０°回転して取り付けされることで前記表示窓部を前記挿抜方向のいずれか一方に変位可能とすることを特徴とする施解錠表示キーの構造。
【請求項６】
請求項１，２，３，４のいずれか１つに記載の施解錠表示キーの構造であって、
前記表示部切替手段が、
前記装置本体に形成され前記解錠表示部と前記施錠表示部の双方を表出する全表示開口部と、
前記全表示開口部に着脱自在に取り付けられ前記解錠表示部または前記施錠表示部の何れか一方を遮蔽する遮蔽板と、
からなることを特徴とする施解錠表示キーの構造。
【請求項７】
請求項６記載の施解錠表示キーの構造であって、
前記遮蔽板が、前記全表示開口部の内側に前記挿抜方向のいずれか一方にスライド自在に取り付けられることを特徴とする施解錠表示キーの構造。
【請求項８】
請求項６又は７記載の施解錠表示キーの構造であって、
前記遮蔽板が、前記装置本体に開閉自在となる開閉部材に設けられることを特徴とする施解錠表示キーの構造。
【請求項９】
請求項１，２，３，４のいずれか１つに記載の施解錠表示キーの構造であって、
前記表示部切替手段が、
前記装置本体に形成され前記解錠表示部と前記施錠表示部の双方を表出する全表示開口部と、
前記装置本体の内側に回転自在に取り付けられ回転位置によって前記解錠表示部または前記施錠表示部の何れか一方を表出させる二つの表示窓部の形成された回転板と、
を具備することを特徴とする施解錠表示キーの構造。
【発明の詳細な説明】
【技術分野】
【０００１】
本発明は、キー穴に挿入されたキーの回転操作により錠装置の施錠または解錠状態をキー側に表示する施解錠表示キーの構造に関する。
【背景技術】
【０００２】
シリンダ錠などの錠装置の施解錠状態をキー（合鍵）側で視認可能とするものがある（例えば特許文献１参照）。この施解錠表示機構付き鍵は、施解錠表示機構を、握り部の回転角度に応じて鍵ブランクの長手方向と直交する方向に移動可能な単一の移動体と、移動体の移動範囲を制限すると共に移動体が移動できる第１、第２の領域を備え且つ握り部に固定された案内部材と、案内部材に対して鍵ブランクの長手方向に接近・離間でき、接近時、移動体を案内部材との間で挟持して保持することができるとともに第１の領域にのみ進入可能な突起部を有し、且つ、自己の一部を鍵ブランクの先端方向に向かって握り部の外へと露出して錠前への挿入の有無を検知するスイッチ部材と、スイッチ部材を鍵ブランクの先端方向へと常時付勢するスプリングと、スイッチ部材の長手方向位置を判断する表示窓及びマーキングで構成している。
【０００３】
マーキングは、施解錠の状態をケースに設けられた表示窓を介して外部に表示する役割を果たす。このマーキングは、スイッチ部材の移動状態により、表示窓から視認できるものが異なる。施錠確認表示機構付き鍵の施解錠操作により、表示窓を通して視認できるマーキングを変化させることで、施錠状態にあるか解錠状態にあるかが判断される。
【先行技術文献】
【特許文献】
【０００４】
【特許文献１】特開２０１０−２０３１０５号公報
【発明の概要】
【発明が解決しようとする課題】
【０００５】
しかしながら、シリンダ錠が取り付けられる扉の向き（勝手が右と左の２種ある）や、扉へのシリンダ錠の取付状態によって、キーを回転する方向はさまざまなものとなる。上記した従来の施錠確認表示機構付き鍵は、キーの右回りや左回りなどの回転方向でマーキングが変わるもので、色等のマーキングで施解錠を判別する構成であり、２つのマーキングを交互に表示する。このため、勝手違いによって起こるマーキングが逆になる点については触れていない。
例えばこのマーキングを赤，青の２色で表示する場合に、赤が解錠，青が施錠と設定し、キーの右回りで解錠，左回りで施錠などとしても、勝手が変わった場合に、施解錠の方向が逆になり、赤が施錠，青が解錠となってしまい、使用者が覚えていなければならず、使い勝手が悪くなる。このことから、従来構成は、施解錠状態を一義的に判別できる文字、例えば「開」，「閉」などで表示する構成としにくい。また、左右勝手だけでなく、そのシリンダ錠の使用形態によっては、取付状態，取付向きが種々あり、「垂直に挿したキーを水平に倒す方向へ回転させるとデッドボルトが出る」とした場合に、右に倒したか左に倒したかで回転方向を検知できるが、どちらへ倒した（回転させた）かが施錠になるかは、シリンダ錠によるものであり、そのシリンダ錠の取付状態については使用感にもより、一般的には、デッドボルトの突出する方向へ、キーを回転させる（キーを倒す，傾ける）ものが多い。
【０００６】
本発明は上記状況に鑑みてなされたもので、その目的は、左右勝手や、シリンダ錠側の取付状態、向き、などに対応して容易に表示設定が可能となる施解錠表示キーの構造を提供することにある。
【課題を解決するための手段】
【０００７】
次に、上記の課題を解決するための手段を、実施の形態に対応する図面を参照して説明する。
本発明の請求項１記載の施解錠表示キー１１の構造は、鍵１７と、
前記鍵１７の頭部２１に装着される装置本体１９と、
前記鍵１７のキー穴１４７への挿入を検知する挿入検知手段３１と、
前記挿入検知手段３１に連動し、前記装置本体１９内で前記鍵１７の挿抜方向に摺動自在または揺動自在に設けられる移動体３７と、
前記移動体３７の表面に設けられ交互に複数が前記挿抜方向に並べられる解錠表示部３５及び施錠表示部２９と、
前記鍵１７の回転方向の操作に応じて前記移動体３７の摺動範囲または揺動範囲を設定する回転方向検出手段４０と、
前記装置本体１９に移動自在または着脱自在に設けられ挿抜方向中央部から前記解錠表示部３５及び前記施錠表示部２９の一つ分だけ前記挿抜方向のいずれか一方に変位可能となって前記解錠表示部３５と前記施錠表示部２９のいずれか一方を選択的に表出させる表示部切替手段３３と、
を具備することを特徴とする。
【０００８】
この施解錠表示キー１１の構造では、鍵１７が錠のキー穴１４７に差し込まれ例えば水平な状態に差し込まれると、これを挿入検知手段３１が検知する。同時に移動体３７が摺動または揺動し、そして鍵１７を施解錠方向のいずれか一方に回転させると、その回転方向を回転方向検出手段４０が検知する。施解錠を完了させた後、鍵１７を錠から引き抜くために、水平姿勢となるまで再び逆回転され、この状態で鍵１７が錠から抜かれると、その回転操作に応じて前記移動体３７の摺動範囲または揺動範囲が設定される。その結果、移動体３７の摺動位置または揺動位置が表示部切替手段３３に対し一定の位置に配置され、解錠表示部３５または施錠表示部２９のいずれかが表示される。この際の表示は、表示部切替手段３３によって、解錠表示部３５と施錠表示部２９のいずれか一方に選択可能となる。
【０００９】
本発明の請求項２記載の施解錠表示キー１１の構造は、既存鍵の頭部２１に装着される装置本体１９と、
キー穴１４７への挿入を検知する挿入検知手段３１と、
前記挿入検知手段３１に連動し、前記装置本体１９内で挿抜方向に摺動自在または揺動自在に設けられる移動体３７と、
前記移動体３７の表面に設けられ交互に複数が前記挿抜方向に並べられる解錠表示部３５及び施錠表示部２９と、
鍵１７の回転方向の操作に応じて前記移動体３７の摺動範囲または揺動範囲を設定する回転方向検出手段４０と、
前記装置本体１９に移動自在または着脱自在に設けられ挿抜方向中央部から前記解錠表示部３５及び前記施錠表示部２９の一つ分だけ前記挿抜方向のいずれか一方に変位可能となって前記解錠表示部３５と前記施錠表示部２９のいずれか一方を選択的に表出させる表示部切替手段３３と、
を具備することを特徴とする。
【００１０】
この施解錠表示キー１１の構造では、装置本体１９に任意の既存鍵が装着されることで、既存鍵によって施解錠される扉の施解錠状態が、装置本体１９の表示部切替手段３３に表示可能となる。
【００１１】
本発明の請求項３記載の施解錠表示キー１１の構造は、請求項１又は２記載の施解錠表示キーの構造であって、
前記挿入検知手段が、
前記鍵１７の挿入でキー穴１４７周部から受ける反力にて前記装置本体１９に後退するトリガー３１よりなることを特徴とする。
【００１２】
この施解錠表示キー１１の構造では、キー穴１４７周部によって後退するトリガー３１にて、鍵１７の挿入を機械的に検知することができる。
【００１３】
本発明の請求項４記載の施解錠表示キー１１の構造は、請求項１又は２又は３記載の施解錠表示キーの構造であって、
前記回転方向検出手段４０が、
前記装置本体１９に設けられる空間部４３と、
該空間部４３に収容されて重力により可動自在となる位置検出手段４７と、
を具備するとともに、
前記移動体３７に連結され、前記位置検出手段４７の移動位置に応じて前記空間部４３への突出が許容または阻止される検出ボス６９を備えることを特徴とする。
【００１４】
この施解錠表示キー１１の構造では、鍵１７を錠に差し込んだ後の回転方向を、重力の作用を受けて可動する例えばフリコや錘などの位置検出手段４７が空間部４３内で移動して、その移動位置により、検出ボス６９の突出状態を変える。これにより、鍵１７の回転方向に応じて移動体３７の移動位置が変わることとなり、表示部切替手段３３に対し一定の位置となる。
【００１５】
本発明の請求項５記載の施解錠表示キー１１の構造は、請求項１，２，３，４のいずれか１つに記載の施解錠表示キー１１の構造であって、
前記表示部切替手段３３が、
表示窓部２７を有し前記装置本体１９に着脱自在なカバー体２５を備え、
前記カバー体２５が前記装置本体１９に着脱自在となって１８０°回転して取り付けされることで前記表示窓部２７を前記挿抜方向のいずれか一方に変位可能とすることを特徴とする。
【００１６】
この施解錠表示キー１１の構造では、カバー体２５が回転されない姿勢で装着されると、表示窓部２７が解錠表示部３５または施錠表示部２９の何れか一方に配置され、カバー体２５が１８０°回転された姿勢で装着されると、表示窓部２７が解錠表示部３５または施錠表示部２９の何れか他方に配置される。これにより交互に複数の解錠表示部３５と施錠表示部２９が二通りの表示で選択することができる。
【００１７】
本発明の請求項６記載の施解錠表示キー１１の構造は、請求項１，２，３，４のいずれか１つに記載の施解錠表示キー１１の構造であって、
前記表示部切替手段１１５が、
前記装置本体１９に形成され前記解錠表示部３５と前記施錠表示部２９の双方を表出する全表示開口部２３と、
前記全表示開口部２３に着脱自在に取り付けられ前記解錠表示部３５または前記施錠表示部２９の何れか一方を遮蔽する遮蔽板１１３と、
からなることを特徴とする。
【００１８】
この施解錠表示キー１１の構造では、遮蔽板１１３が、解錠表示部３５と施錠表示部２９の双方を表出させた全表示開口部２３の、いずれか一方を遮蔽する位置に取り付けられることで、全表示開口部２３には、解錠表示部３５または施錠表示部２９のいずれか他方が表示される。
【００１９】
本発明の請求項７記載の施解錠表示キー１１の構造は、請求項３記載の施解錠表示キー１１の構造であって、
前記遮蔽板１１３が、前記全表示開口部２３の内側に前記挿抜方向のいずれか一方にスライド自在に取り付けられることを特徴とする。
【００２０】
この施解錠表示キー１１の構造では、遮蔽板１１３が、解錠表示部３５と施錠表示部２９の双方を表出させた全表示開口部２３の、いずれか一方を遮蔽する位置にスライドされることで、全表示開口部２３には、解錠表示部３５または施錠表示部２９のいずれか他方が表示される。
【００２１】
本発明の請求項８記載の施解錠表示キー１１の構造は、請求項３又は４記載の施解錠表示キー１１の構造であって、
前記遮蔽板１１３が、前記装置本体１９に開閉自在となる開閉部材１２１に設けられることを特徴とする。
【００２２】
この施解錠表示キー１１の構造では、開閉部材１２１を装置本体１９に対して開くことで、装置本体１９の内側に設けられている遮蔽板１１３が外側に配置され、開いた開閉部材１２１の遮蔽板１１３を設定した後、開閉部材１２１を締めることで、容易な表示切替設定が可能となる。
【００２３】
本発明の請求項９記載の施解錠表示キー１１の構造は、請求項１記載の施解錠表示キー１１の構造であって、
前記表示部切替手段１３１が、
前記装置本体１９に形成され前記解錠表示部３５と前記施錠表示部２９の双方を表出する全表示開口部２３と、
前記装置本体１９の内側に回転自在に取り付けられ回転位置によって前記解錠表示部３５または前記施錠表示部２９の何れか一方を表出させる二つの表示窓部２７ａ，２７ｂの形成された回転板１２９と、
を具備することを特徴とする。
【００２４】
この施解錠表示キー１１の構造では、解錠表示部３５と施錠表示部２９の双方が表出されている全表示開口部２３に対し、回転板１２９を回転することによって、解錠表示部３５または施錠表示部２９の何れか一方を表示窓部２７ａ，２７ｂに一致させて表出させることができる。
【発明の効果】
【００２５】
本発明に係る請求項１記載の施解錠表示キーの構造によれば、表示部切替手段によって、解錠表示部と施錠表示部のいずれか一方に選択可能となり、左右勝手や、シリンダ錠側の取付状態、向き、などに対応して容易に表示設定が可能となる。
【００２６】
本発明に係る請求項２記載の施解錠表示キーの構造によれば、既存鍵と別体に構成されて装着されるので、既存鍵に二次加工を施さずに、既存鍵を原型のまま使用して、表示機能を付加することができる。このことから、既存鍵を変更する場合にも対応でき、例えば集合住宅などで錠装置及び合鍵を取り替える際に、その変更された合鍵に表示機能を付加させることが可能である。
【００２７】
本発明に係る請求項３記載の施解錠表示キーの構造によれば、トリガーを備えることで、鍵のキー穴への挿入を機械的に検知することが可能となる。
【００２８】
本発明に係る請求項４記載の施解錠表示キーの構造によれば、鍵を錠に差し込んだ後の回転方向を、重力の作用を受けて可動する位置検出手段が空間部内で移動することで検知可能となり、その移動位置にて検出ボスの突出状態を変えることができ、これにより鍵の回転方向に応じて移動体の移動位置が変わり、表示部切替手段に対して一定の位置となり、解錠表示部と施錠表示部のいずれか一方に選択可能となる。
【００２９】
本発明に係る請求項５記載の施解錠表示キーの構造によれば、装置本体に対してカバー体を取り付ける向きを変えることで、施錠表示部または解錠表示部の何れかを簡単な構造で表示することができる。
【００３０】
本発明に係る請求項６記載の施解錠表示キーの構造によれば、遮蔽板の取付位置を選択することで、施錠表示部または解錠表示部の何れか一方を隠して、何れか他方を簡単な構造で表示することができる。
【００３１】
本発明に係る請求項７記載の施解錠表示キーの構造によれば、全表示開口部に対して遮蔽板をスライドすることで、施錠表示部または解錠表示部の何れか一方を隠して、何れか他方を簡単な構造で表示することができる。また、遮蔽板が別体とならないので、遮蔽板の紛失を防止できる。
【００３２】
本発明に係る請求項８記載の施解錠表示キーの構造によれば、開閉部材の裏側に遮蔽板が設けられることで、装置本体を分解せずに遮蔽板を容易に表示切替位置にスライドできる。
【００３３】
本発明に係る請求項９記載の施解錠表示キーの構造によれば、回転板の回転操作によって、施錠表示部または解錠表示部の何れか一方を隠して、何れか他方を表示でき、表示の切り替えを回転板の回転によるスムースな操作で行うことができる。
【図面の簡単な説明】
【００３４】
【図１】本発明に係る構造を備える施解錠表示キーの外観斜視図である。
【図２】カバー体の装着向き変更による表示切替状況を表した作用説明図である。
【図３】扉の左右勝手違いの説明図である。
【図４】キー表面ケースを取り外した斜視図である。
【図５】フリコガイドの正面図を（ａ）にフリコガイド近傍部材の分解斜視図を（ｂ）に示した図である。
【図６】施解錠操作に伴うフリコの姿勢を（ａ）（ｂ）（ｃ）（ｄ）（ｅ）で表した動作説明図である。
【図７】鍵表裏反転使用された場合の施解錠操作に伴うフリコの姿勢を（ａ）（ｂ）（ｃ）（ｄ）（ｅ）で表した動作説明図である。
【図８】施錠時のフリコガイドの斜視図を（ａ）にフリコガイド及び表示状態を示す一部省略斜視図を（ｂ）に示した動作説明図である。
【図９】解錠時のフリコガイドの斜視図を（ａ）にフリコの位置での断面斜視図を（ｂ）にフリコガイド及び表示状態を示すの一部省略斜視図を（ｃ）に示した動作説明図である。
【図１０】他の実施形態に係る施解錠表示キーの外観斜視図である。
【図１１】図１０に示した施解錠表示キーの要部分解斜視図である。
【図１２】カバー体がケース内側から着脱される変形例に係る表示部切替手段の概略斜視図である。
【図１３】遮蔽板がケース内側から着脱される変形例に係る表示部切替手段の概略斜視図である。
【図１４】遮蔽板がスライドされる変形例に係る表示部切替手段の概略斜視図である。
【図１５】遮蔽板が開閉部材に設けられる変形例に係る表示部切替手段の斜視図である。
【図１６】回転板が扇形状の変形例に係る表示部切替手段のケース内側から視た動作説明図を（ａ）（ｂ）に動作中の正面図を（ｃ）に示した図である。
【図１７】回転板が円板状の変形例に係る表示部切替手段の概略分解斜視図を（ａ）にケースを省略した正面視での動作説明図を（ｂ）（ｃ）に示した図である。
【図１８】移動体の変形例を示す概略図である。
【発明を実施するための形態】
【００３５】
以下、本発明に係る実施形態を図面を参照して説明する。
図１は本発明に係る構造を備える施解錠表示キーの外観斜視図である。
本実施形態に係る構造を備える施解錠表示キー１１は、キー表面ケース１３、キー裏面ケース１５が水平となる向きで不図示のシリンダ錠のキー穴に挿入され双方向の回転、例えば９０°ずつの回転により施錠または解錠となる錠に用いられて、その施解錠状態をキー表面ケース１３に表示させる。なお、本実施の形態は、錠が時計回りで施錠、反時計回り解錠される場合を例に説明するが、施解錠表示キー１１は勿論その反対回動操作の錠にも適用できるものである。また、本実施形態ではリバーシブル対応の施解錠状態表示機能をキー自体に備えている。また、本発明は、鍵１７を構成要件とする構造、または鍵１７を備えない後述する構造のいずれの形態も含むものである。
【００３６】
装置本体１９は、キー表面ケース１３とキー裏面ケース１５を結合して外殻が形成される。装置本体１９からは頭部２１（図４参照）の保持された鍵１７が突出される。キー表面ケース１３には表示窓部２７が形成されカバー体２５が着脱自在に設けられる。表示窓部２７には例えば図例のように施錠表示部２９が表示される。また、装置本体１９からは挿入検知手段としてのトリガー３１が、鍵１７の一方の面側に沿って進退自在となって突出する。
【００３７】
図２はカバー体２５の装着向き変更による表示切替状況を表した作用説明図である。
施解錠表示キー１１は、キー表面ケース１３に表示部切替手段３３を備えている。表示部切替手段３３は、表示窓部２７を有したカバー体２５と、表示窓部２７に配置される施錠表示部２９及び解錠表示部３５と、からなる。施錠表示部２９及び解錠表示部３５は、後述する移動体としてのスライダー３７（図４参照）の表面に、交互に複数、本実施形態では三つ挿抜方向に並べて設けられている。表示部切替手段３３は、装置本体１９に着脱自在に設けられ挿抜方向中央部から解錠表示部３５及び施錠表示部２９の一つ分だけ挿抜方向のいずれか一方に変位可能となって解錠表示部３５と施錠表示部２９のいずれか一方を選択的に表出させる。
【００３８】
カバー体２５は、装置本体１９に弾性係止手段によって着脱自在に装着される。カバー体２５に形成される表示窓部２７は、カバー体２５における鍵１７の挿抜方向中央部から表示部一つ分だけ挿抜方向のいずれか一方に片寄せられて設けられている。
【００３９】
カバー体２５の挿抜方向中央部から表示窓部２７が表示部一つ分だけ片寄せられ、カバー体２５が１８０°反転されて装置本体１９に付け替えられることで、今まで使用されていなかった反対端の解錠表示部３５または施錠表示部２９が使用されるようになっている。これにより、現状表示の内容を反転（施解錠表示を反転）させることができる。つまり、表示窓部２７を挿抜方向のいずれか一方に変位可能としている。カバー体２５の装着向きを変えることで、簡単な構造で左右勝手の錠に対応が可能となる。すなわち時計回りで施錠となる或いは反時計回りで施錠となるという勝手が異なることで施錠の回転方向が変わる錠に対し、ユーザーの手で表示動作の切替対応を可能にすることができるようになっている。
【００４０】
また、カバー体２５のみを付け替えることで、装置本体１９の内部構造を組み替えるなどの煩雑な操作が不要となるので、装置本体１９の水密性・気密性を高めることができ、水や埃の入りにくい構造とすることができて、長期に渡って信頼性の高い表示を実現させることができる。
【００４１】
図３は扉の左右勝手違いの説明図である。
ここで、扉１４１の左右勝手違いについて説明する。勝手違いは図３に示す扉１４１の内開き、外開きに応じ、左勝手と右勝手とがある。本明細書中において、左勝手とは、丁番１４３の軸が扉１４１の開く側から見て左側に見えるときを言う。また、右勝手とは、丁番１４３の軸が扉１４１の開く側から見て右側に見えるときを言う。そして、室外側の扉面における把手やハンドルの近傍にシリンダ錠１４５が設けられる。このシリンダ錠１４５の配設位置により、解錠から施錠、或いは施錠から解錠の回転方向が異なることとなり、例えば図３に示すように、キー穴１４７が垂直な状態で解錠状態とした場合に、この状態から９０°回転させて水平状態とすることで施錠となり、さらに垂直な状態に回転させて戻すことでキーが抜けるようになっており、解錠から施錠への回転方向は戸先方向に倒すような方向とされる。また逆に扉１４１の吊元側へ倒す方向に回転として解錠となる。このことから、左右勝手の違いとシリンダ錠の配設位置によってキー回転方向がそれぞれ異なることとなる（図３中矢線参照）。
【００４２】
次に、施解錠表示キー１１の動作機構部について説明する。
図４はキー表面ケース１３を取り外した斜視図である。
装置本体１９は、鍵１７の頭部２１をキー表面ケース１３とキー裏面ケース１５とで挟持されるように保持している。頭部２１は、複数の保持壁によって包囲されて固定されている。装置本体１９の後端部にはフリコガイド３９が固定される。なお、本明細書中、鍵１７の挿入方向を前、鍵１７の抜去方向を後として説明する。フリコガイド３９は、後板部から一対の平行な脚部が前方に向かって突出される。脚部の内側対向面にはガイド溝４１（図５参照）が形成され、ガイド溝４１はスライダー３７を前後方向に摺動自在に保持している。
【００４３】
図５はフリコガイド３９の正面図を（ａ）にフリコガイド近傍部材の分解斜視図を（ｂ）に示した図である。
本実施形態では、回転方向検知手段４０として、空間部４３と、位置検出手段としてのフリコ４７と、検出ボスとを具備する。フリコガイド３９には後端面に開口する空間部４３が、装置本体内の鍵１７の頭部２１と離間して形成されている。空間部４３は、後方からの正面視で中間のくびれた長円状の略繭形に形成される。空間部４３の中央には後方に向かってガイド軸４５が突設されている。ガイド軸４５は、鍵１７の回動中心軸と平行、好ましくは同軸で空間部４３に設けられる。
【００４４】
空間部４３にはフリコ４７が配置されている。フリコ４７は、軸線直交断面が長円環となる略筒状に形成され、内穴４９にガイド軸４５を挿通する。これにより、フリコ４７は、重力により空間部４３で可動自在となる。フリコ４７は、ある程度の重量と摺動性が必要となる材質よりなり、例えばタングステン粉と樹脂の複合材料などの高比重樹脂等による成形品、または耐摩耗性を備えたダイキャスト用亜鉛合金等とすることが好ましい。
【００４５】
フリコ４７を収容する空間部４３は、装置本体１９に固定されるガイドカバー５１によって開口が塞がれ、フリコ４７の軸線方向の脱落が規制されている。このガイドカバー５１には、スライダー３７に設けられた後述のフリコ移動規制ボス５３や表示保持ボス５５の進入可能な複数の支持用孔５７が穿設されている。また、これら支持用孔５７を挟む両側には、フリコガイド３９の後端面に突設する一対の位置決め突起５９と嵌合する位置決め孔６１が穿設されている。
【００４６】
図５（ａ）に示すように、空間部４３の底壁６３には形状の異なる検出ボス用貫通穴６５と、規制ボス用貫通穴６７が、一対ずつ穿設されている。これら、検出ボス用貫通穴６５と規制ボス用貫通穴６７には、後述のフリコ検出ボス６９やフリコ移動規制ボス５３が挿通される。なお、フリコガイド３９の空間部４３の開口周囲には、フリコ４７の姿勢位置を動作確認時等に読み取るための例えばＡ，Ｂ，Ｃ，Ｄ等の符号が設けられている。
【００４７】
上記のように、装置本体１９に対し、鍵１７の挿抜方向に摺動自在となったスライダー３７の表面には、図５に示す解錠表示部３５と施錠表示部２９が挿抜方向に並べて設けられる。解錠表示部３５と施錠表示部２９とは、交互に三つ挿抜方向に並べられている。本実施形態では、各部３５，２９が接近し略並列して設けられ、例えば一つの施錠表示部２９を挟んで二つの解錠表示部３５が設けられるが、その逆の配列であってもよい。これにより、中央の施錠表示部２９と後端側の解錠表示部３５、或いは施錠表示部２９と前端側の解錠表示部３５の２つの組合せとなり、いずれかの組合せを選択し表示することで後述するように錠の左右勝手に対応可能としている。
【００４８】
装置本体１９のキー表面ケース１３には、樹脂材料等からなるカバー体２５が着脱自在に装着される。このカバー体２５は表示窓部２７のみ透明とされており、例えば表示面の厚みを内側方向に大きくしレンズ状に形成した表示窓部２７が形成される。表示窓部２７は、解錠表示部３５と施錠表示部２９のいずれか一方を選択的に表出させる位置、サイズで形成されている。この表示窓部２７のサイズとしては、後述するが施錠表示部２９，解錠表示部３５の形状に合せて形成される。このカバー体２５は、弾性係止手段によりユーザーによっても容易に脱着可能に構成されている。
【００４９】
図４に示するように、トリガー３１の後端にはトリガー用スプリング７１の先端が当接され、トリガー用スプリング７１は後端がケース内に立設されたバネ座７３に当接している。これにより、トリガー３１は、前側に付勢されている。トリガー３１の両側面にはトリガーラック７７が形成され、トリガーラック７７はケース内にて回動自在に支持される一対のギア７９に噛合している。このギア７９には、スライダー３７の脚部に形成されたスライダーラック８１が噛合している。つまり、トリガー３１がトリガー用スプリング７１の付勢力に抗して後退されると、ギア７９の回転を介してスライダーラック８１が前側へ移動されるようになっている。
【００５０】
トリガー３１は、スライダー３７を空間部４３（図５参照）へ付勢する一方で、鍵１７の錠への挿入でキー穴周部から受ける反力にて装置本体１９に後退し、スライダー３７を空間部４３から離反する方向へ移動させる。
【００５１】
スライダー３７は、フリコ４７の移動位置に応じて空間部４３へ突出が許容または阻止されるフリコ検出ボス６９（図５参照）と、フリコ移動規制ボス５３（図５参照）とを後端面に突設している。これらフリコ検出ボス６９とフリコ移動規制ボス５３は、本実施形態では、検出ボスを構成しており、それぞれ検出ボス用貫通穴６５と、規制ボス用貫通穴６７を介して空間部４３に進退する。
【００５２】
また、フリコ検出ボス６９には、空間部４３への突出が阻止されるときに内穴４９に嵌入する表示保持ボス５５が突設されている。フリコ検出ボス６９が空間部４３へ突出されるフリコ４７の位置では、フリコ検出ボス６９とともに突出するフリコ移動規制ボス５３によってフリコ４７の回転方向の移動が規制されるが、フリコ移動規制ボス５３が突出しないフリコ４７の位置では、フリコ検出ボス６９の表示保持ボス５５が内穴４９に嵌入される。フリコ４７は、内穴４９の長手方向一端にガイド軸４５が挿入され、他端に表示保持ボス５５が挿入されて移動が規制される。これにより、フリコ検出ボス６９とともにフリコ移動規制ボス５３が空間部４３に進出しない状態であっても、フリコ検出ボス６９の頂部に形成された表示保持ボス５５がフリコ４７の内穴４９に嵌入するので、トリガー３１をストローク端まで押さない限り、表示状態を保持することができるようになっている。これらボス５３，６９による空間部４３でのフリコ４７の移動規制等によってスライダー３７の移動位置が変わり、この移動位置はフリコ４７の厚みで設定される。そしてこのフリコ４７の厚みの長さが、施錠表示部２９と解錠表示部３５の形成幅長とされる。
【００５３】
次に、上記構成を有する施解錠表示キー１１の作用を説明する。
図６は施解錠操作に伴うフリコ４７の姿勢を（ａ）（ｂ）（ｃ）（ｄ）（ｅ）で表した動作説明図、図７は鍵を表裏反転して使用した場合の施解錠操作に伴うフリコ４７の姿勢を（ａ）（ｂ）（ｃ）（ｄ）（ｅ）で表した動作説明図、図８は施錠時のフリコガイドの斜視図を（ａ）にフリコガイド及び表示状態を示す一部省略斜視図を（ｂ）に示した動作説明図、図９は解錠時のフリコガイドの斜視図を（ａ）にフリコの位置での断面斜視図を（ｂ）にフリコガイド及び表示状態を示すの一部省略斜視図を（ｃ）に示した動作説明図である。
本作用では、解錠から施錠が図６（ｄ）（ｅ）で示す時計回り方向、施錠から解錠が図６（ｂ）（ｃ）で示す反時計回り方向である場合を例に説明する。施解錠表示キー１１は、表示窓部２７が見える図１に示す状態で挿入される。解錠から施錠を行う場合では、水平に施解錠表示キー１１をキー穴に挿入する。施解錠表示キー１１のトリガー３１が押され、スライダー３７が移動し、空間部４３からフリコ検出ボス６９とフリコ移動規制ボス５３が退去となる。これにより、図６（ａ）に示すように、フリコ４７は、ガイド軸４５に支持されたのみのフリーな状態となる。
【００５４】
施解錠表示キー１１が時計回りに９０°回転する施錠操作が行われると、図６（ｄ）に示すように、フリコ４７が自重で空間部４３のＣ・Ｄのエリアに移動する。施錠の後、施解錠表示キー１１を抜き取り位置に戻すため、図６（ｄ）に示した９０°位置から、図６（ｅ）に示す０°位置へ、反時計回りに９０°回転される。この時点では、フリコ検出ボス６９、フリコ移動規制ボス５３は突出していない。これにより、フリコ４７は、自重でＤエリアに揺動する。また、図７（ａ）に示すように、施解錠表示キー１１が表裏逆に使用された場合には、図７（ｄ）（ｅ）に示すように動作して点対称位置のＡエリアとなる。
【００５５】
施解錠表示キー１１が引き抜かれると、図８に示すように、トリガー３１に連動するスライダー３７が空間部４３にフリコ検出ボス６９、フリコ移動規制ボス５３を突出する。これにより、フリコ４７は、Ｄエリア及び対称位置のＡエリア以外のＢ，Ｃエリアへの移動が規制される。このスライダー３７の移動により、図８（ｂ）に示すように表示窓部２７には「しめた」の施錠表示部２９が配置される。
【００５６】
一方、施錠から解錠を行う場合では、水平に施解錠表示キー１１をキー穴に挿入する。施解錠表示キー１１のトリガー３１が押され、スライダー３７が移動し、空間部４３からフリコ検出ボス６９とフリコ移動規制ボス５３が退去となる。これにより、図６（ａ）に示すように、フリコ４７は、フリーな状態となる。
【００５７】
施解錠表示キー１１が反時計回りに９０°回転する解錠操作が行われると、図６（ｂ）に示すように、フリコ４７が自重で空間部４３のＡ・Ｂのエリアに移動する。解錠の後、施解錠表示キー１１を抜き取り位置に戻すため、図６（ｂ）に示した９０°位置から、図６（ｃ）に示す０°位置へ、時計回りに９０°回転される。この時点では、フリコ検出ボス６９、フリコ移動規制ボス５３は突出していない。これにより、フリコ４７は、自重でＢエリアに揺動する。また、図７（ａ）に示すように、施解錠表示キー１１が表裏逆に使用された場合には、図７（ｂ）（ｃ）に示すように動作して点対称位置のＣエリアとなる。
【００５８】
施解錠表示キー１１が引き抜かれると、図９に示すように、トリガー３１に連動するスライダー３７が移動し、フリコ検出ボス６９の表示保持ボス５５がフリコ４７の内穴４９に突出する。これにより、フリコ４７は、Ｂエリア以外のＡ，Ｃ，Ｄエリアへの移動が規制される。このスライダー３７のフリコ４７を介在した状態の移動により、表示窓部２７には「あけた」の解錠表示部３５が配置される。
【００５９】
施錠状態では、フリコ４７は、点対称エリアに移動可能となる。一方、解錠状態では、フリコ検出ボス６９の表示保持ボス５５と、ガイド軸４５がフリコ４７の内穴両端に位置し、フリコ４７は移動規制されて固定状態に保持される。この解錠状態において、スライダー３７と空間部４３との間に形成させる図９に示す離間距離ｄが、施錠表示部２９（「しめた」の文字）と解錠表示部３５（「あけた」の文字）との切替に必要な距離となっており、すなわちこの離間距離ｄがフリコ４７の厚み長さであり、この長さが各表示部２９，３５の形成幅長とされる。
【００６０】
このように、施解錠表示キー１１では、鍵１７が錠に差し込まれ、施解錠操作を行うためにいずれか一方に回転されると、空間部４３のフリコ４７が、ガイド軸４５を中心に重力の作用を受けて長手方向が鉛直方向となるように姿勢する。これにより、表示に備えたフリコ４７の姿勢のリセットがなされる。施解錠を完了させた後、鍵１７を錠から引き抜くために、水平姿勢となるまで再び逆回転されると、長手方向上端の内穴４９にガイド軸４５が配置され長手方向下端が自由端となっていたフリコ４７が、空間部４３に対し相対的に回転されて所定形状に形成された空間部４３の内壁面に当接配置される。この状態で鍵１７が水平姿勢となり、錠から抜かれると、トリガー３１が突出し、同時にフリコ検出ボス６９がフリコ４７を検出する。その結果、スライダー３７の摺動位置が表示窓部２７に対し一定の位置に配置され、解錠表示部３５または施錠表示部２９のいずれかが表示されることとなる。
【００６１】
図１０は他の実施形態に係る施解錠表示キーの外観斜視図、図１１は図１０に示した施解錠表示キーの要部分解斜視図である。
次に本発明の施解錠表示キーの構造の他の実施形態の施解錠表示キーについて説明する。この施解錠表示キー８３は、鍵１７と、鍵１７に装着される装置本体８５と、回転方向検出手段４０を構成し重力により可動自在となる位置検出手段としてのフリコ４７を有する外筒８９と、外筒８９に連結される切替部８７と、鍵１７の挿抜方向に摺動自在となって解錠表示部３５と施錠表示部２９を有するスライダー３７と、スライダー３７を空間部４３から離反させるトリガー３１と、解錠表示部３５と施錠表示部２９のいずれか一方を表出させる表示部切替手段９１と、フリコ４７の移動位置に応じて空間部４３へのスライダー３７の突出を許容するとともにフリコ４７の移動を規制する検出兼規制ボス６９を突設した内コマ９５と、を具備する。外筒８９及び内コマ９５は、鍵１７の回動中心軸を中心に、スライダー３７の切欠部９３に対して回転自在に連結される。また、切替部８７は、貫通穴９４から外部に表出している。
【００６２】
この施解錠表示キー８３では、鍵１７がキー穴に差し込まれ、施解錠方向のいずれか一方に回転されると、フリコ４７が、重力の作用を受けて長手方向が鉛直方向となるように姿勢する。これにより、フリコ４７の姿勢のリセットがなされる。施解錠を完了させた後、鍵１７をキー穴から引き抜くために、水平姿勢となるまで再び逆回転すると、フリコ４７が空間部４３に対し相対的に回転されて、所定形状に形成された空間部４３の壁体部に当接配置される。この状態で鍵１７が水平姿勢となってキー穴１４７から抜かれると、トリガー３１が突出し、同時に検出兼規制ボス６９がフリコ４７を検出する。その結果、スライダー３７の摺動位置が表示窓部２７に対し一定の位置に配置され、解錠表示部３５または施錠表示部２９のいずれかが表示される。鍵１７が縦挿しまたは横挿しであっても、鍵１７の姿勢に合わせ、切替部８７によって外筒８９及び内コマ９５をスライダー３７に対して回転させることで、重力方向を同様に作用させて同様の表示が可能となる。
【００６３】
表示部切替手段９１は、キー表面ケース１３に形成される全表示開口部２３と、カバー体１０１と、を有する。全表示開口部２３は、少なくとも施錠表示部２９及び解錠表示部３５の２つを同時に表出させる大きさを有する。カバー体１０１は、全表示開口部２３に、キー表面ケース１３の外側から着脱自在となる。カバー体１０１は、キー表面ケース１３の係止孔１０３に、係止突起１０５を係止することで着脱自在となる。カバー体１０１には透明樹脂などからなる表示窓部２７が形成され、その他の部分は不透明或いは有色の樹脂等からなる遮蔽部１０７となっている。カバー体１０１は、挿抜方向中央部から解錠表示部３５及び施錠表示部２９の一つ分だけ挿抜方向のいずれか一方に変位して配置される。従って、１８０°回転して装着されることで、三つの解錠表示部３５と施錠表示部２９による二つの組み合わせのいずれか一方を選択的に表出させる。
【００６４】
次に、上記した表示部切替手段の変形例を説明する。
図１２はカバー体がケース内側から着脱される変形例に係る表示部切替手段の概略斜視図である。
この変形例に係る表示部切替手段１０９は、キー表面ケース１３に形成される全表示開口部２３と、カバー体１１１と、を有する。全表示開口部２３は、少なくとも施錠表示部２９及び解錠表示部３５の２つを同時に表出させる大きさを有する。また、全表示開口部２３の両側にはピン１１０がそれぞれ突設されている。カバー体１１１には両側端に取付孔１１２が穿設されるとともに、透明な表示窓部２７が形成され、その他の部分は遮蔽部１０７となっている。カバー体１１１は、ピン１１０に取付孔１１２を挿着することで全表示開口部２３に対してキー表面ケース１３の内側から着脱自在となる。カバー体１１１は、挿抜方向中央部から解錠表示部３５及び施錠表示部２９の一つ分だけ挿抜方向のいずれか一方に変位して配置される。従って、１８０°回転して装着されることで、三つの解錠表示部３５と施錠表示部２９による二つの組み合わせのいずれか一方を選択的に表出させることができる。
【００６５】
図１３は遮蔽板がケース内側から着脱される変形例に係る表示部切替手段の概略斜視図である。
この変形例に係る表示部切替手段１１５は、解錠表示部３５と施錠表示部２９の双方を表出する全表示開口部２３と、全表示開口部２３に着脱自在に取り付けられ解錠表示部３５または施錠表示部２９の何れか一方を遮蔽する遮蔽板１１３と、からなる。
遮蔽板１１３は不透明或いは有色の樹脂素材などからなり、両端に取付孔１１６が穿設される。また全表示開口部２４の両側には、遮蔽板１１３を取り付けるためのピンが突設され、図１３に示すように上ピン１１４ａと下ピン１１４ｂの対となる組み合わせで構成される。そして、遮蔽板１１３が、解錠表示部３５と施錠表示部２９の双方を表出させた全表示開口部２３の、いずれか一方を遮蔽する位置となるように、上ピン１１４ａまたは下ピン１１４ｂに取り付けられることで、全表示開口部２３には、解錠表示部３５または施錠表示部２９のいずれか他方が表示される。
この変形例によれば、遮蔽板１１３の取付位置を選択することで、施錠表示部２９または解錠表示部３５の何れか一方を隠して、何れか他方を簡単な構造で表示することができる。
【００６６】
図１４は遮蔽板がスライドされる変形例に係る表示部切替手段３３の概略斜視図である。
この変形例に係る表示部切替手段１１７は、遮蔽板１１３が、全表示開口部２３の内側に挿抜方向のいずれか一方にスライド自在に取り付けられる。遮蔽板１１３は、両側がキー表面ケース１３の裏側に設けられた溝状のガイド部１１９に摺動自在に保持されることでスライド自在となる。
遮蔽板１１３が、解錠表示部３５と施錠表示部２９の双方を表出させた全表示開口部２３の、いずれか一方を遮蔽する位置にスライドされることで、全表示開口部２３には、解錠表示部３５または施錠表示部２９のいずれか他方が表示される。
この変形例によれば、全表示開口部２３に対して遮蔽板１１３をスライドすることで、三つの解錠表示部３５と施錠表示部２９による二つの組み合わせのいずれか一方を選択的に隠して、何れか他方を簡単な構造で表示することができる。また、遮蔽板１１３がケースと別体とならないので、遮蔽板１１３の紛失を防止できる。
【００６７】
図１５は遮蔽板が開閉部材に設けられる変形例に係る表示部切替手段の斜視図である。
この変形例に係る表示部切替手段１２３は、遮蔽板１１３が、装置本体１９に開閉自在となる開閉部材１２１に設けられる。開閉部材１２１は、ヒンジ１２５を介してキー表面ケース１３と一体に成形することができる。
開閉部材１２１を装置本体１９に対して開放することで、装置本体１９の内側に設けられている遮蔽板１１３が現れて外側に配置され、この遮蔽板１１３の位置をガイド部１１９に沿ってスライドし設定した後、開閉部材１２１を締めることで、容易な表示切替設定が可能となる。
この変形例によれば、開閉部材１２１の裏側に遮蔽板１１３が設けられることで、装置本体１９を分解せずに遮蔽板１１３を容易に表示切替位置に切り替え設定できる。
【００６８】
図１６は回転板が扇形状の変形例に係る表示部切替手段のケース内側から視た動作説明図を（ａ）（ｂ）に動作中の正面図を（ｃ）に示した図である。
この変形例に係る表示部切替手段１３１は、装置本体１９に形成され解錠表示部３５と施錠表示部２９の双方を表出する全表示開口部２３と、装置本体１９の内側に軸１３０を介して回転自在に取り付けられ回転位置によって三つの解錠表示部３５と施錠表示部２９の二つの組合せのいずれか一方を表出させる二つの表示窓部２７ａ、２７ｂの形成された扇形状の回転板１２９とを具備する。
施錠表示部２９と解錠表示部３５の双方が表出されている全表示開口部２３に対し、回転板１２９を回転することによって、解錠表示部３５または施錠表示部２９の何れか一方を表示窓部２７ａ、２７ｂに一致させて表出させることができる。
この変形例によれば、回転板１２９の回転操作によって、施錠表示部２９または解錠表示部３５の何れか一方を隠して、何れか他方を表示でき、表示の切り替えを回転板１２９の回転によるスムースな操作で行うことができる。
【００６９】
図１７は回転板が円板状の変形例に係る表示部切替手段の概略分解斜視図を（ａ）にケースを省略した正面視での動作説明図を（ｂ）（ｃ）に示した図である。
この変形例に係る表示部切替手段１３３は、キー表面ケース１３に全表示開口部２３が形成され、全表示開口部２３とスライダー３７との間に円板形状の回転板１３５が支軸１３７を介して回転自在に設けられる。回転板１３５には、回転位置によって解錠表示部３５または施錠表示部２９のいずれか一方を表出させる二つの表示窓部２７ａ、２７ｂが形成されている。
この変形例によれば、回転板１３５の回転操作によって、三つの解錠表示部３５と施錠表示部２９の二つの組合せのいずれか一方をを隠して、いずれか他方を表示でき、表示の切り替えを回転板１３５の回転によるスムースな操作で行うことができる。これに加え、回転板１３５の外周一部分を、キー表面ケース１３の外側に露出させることで、ダイヤル式として、外部より回転板１３５を簡便に操作することができる。
【００７０】
なお、上記各実施の形態では、鍵１７を構成要件としたが、本発明は鍵１７を備えない施解錠表示キー１１の構造としてもよい。これにより、装置本体１９に任意の既存鍵が装着されることで、既存鍵によって施解錠される扉の施解錠状態が、装置本体１９の表示窓部２７に表示可能となる。
【００７１】
従って、本実施形態に係る施解錠表示キー１１の構造によれば、スライダー３７に設けた三つの解錠表示部３５と施錠表示部２９による二つの組み合わせのいずれか一方を選択的に表示、或いは隠すことを簡単な構造で行うことができ、扉の左右勝手の違いや、シリンダ錠側の取付状態、向き、などに対応して容易に表示設定が可能となる。また、図１や図５等に示した「あけた」「しめた」などの文字表示や、図１６に示した「ＯＰＥＮ」「ＬＯＣＫ」、図１７に示した錠の状態を示すアイコン表示など、識別が容易となる各表示部２９，３５により、シリンダ錠側の状態を容易に且つ確実に判別可能とすることができ、使い勝手の良いキーを構成することが可能となる。
【００７２】
また、本実施形態に係る施解錠表示キー１１の構造によれば、既存鍵と別体に構成されてもよいので、既存鍵に二次加工を施さずに、既存鍵を原型のまま使用して、表示機能を付加することができる。このことから、既存鍵を変更する場合にも対応でき、例えば集合住宅などで錠装置及び合鍵を取り替える際に、その変更された合鍵に表示機能を付加させることが可能である。
【００７３】
なお、上述した各実施の形態では、移動体３７の構成を、鍵の挿抜方向に摺動移動するスライダーを例に説明したが、この移動体３７は揺動する構造としてもよく、例えば図１８に示すような多角形状の揺動板３７とし、セグメントギア１３９を備え、挿入検知手段としてのトリガー３１のトリガーラック７７に噛合させて、トリガー３１の移動に連動し揺動する構成としてもよい。この構成においても、上記同様の回転方向検知手段４０を具備し、鍵１７の回転方向の操作に応じて揺動板３７の揺動範囲を設定する。そして、解錠表示部３５と施錠表示部２９とのいずれか一方を選択的に表出させる表示部切替手段３３のカバー体２５を着脱自在な構成とする。このような構成では、図１８に示すように、カバー体２５をケース１９の全表示開口部２３に対して表示窓部２７の向きを変えて取り付けることで、揺動板３７の施錠表示部２９と解錠表示部３５のいずれか一方を選択的に表示させることとなる。
【００７４】
また、上述した各実施形態において、移動体３７の表面に交互に設けられた解錠表示部３５と施錠表示部２９とが近接して並べられた構成として示したが、これら解錠表示部３５と施錠表示部２９とは、互いに隣接して配置構成されていなくとも良く、また上記各実施の形態では、解錠表示部３５と施錠表示部２９とを交互に三つで構成した例を示したが、これら解錠表示部３５と施錠表示部２９とは二つや四つなど複数で構成されていれば良く、これらを表示部切替手段３３にて選択的に表示させることで、対応させることが可能となる。
【００７５】
さらに、上記実施形態では、挿入検知手段を、鍵１７の挿入でキー穴１４７周部から受ける反力にて装置本体１９に後退するトリガーにて構成する例について述べたが、キー穴１４７への挿入が検知される構成であれば、他の構造を採用することも可能であり、例えばマグネットによる検知や、電気的な構成による検知などとしても良い。
【００７６】
また、上記実施形態では、位置検出手段として、軸線直交断面が長円環となる略筒状に形成され内穴４９にガイド軸４５が挿通されるフリコ４７にて構成される例について述べたが、この位置検出手段は、空間部４３に収容されて重力によって可動自在となるものであれば、その形状については限定されるものではなく、例えば球形状や鉄アレイ形状など重力によって移動し姿勢を変え、鍵１７の回転状態を検出できる構成であれば、その他の形状等にて構成されるものであっても良い。
【符号の説明】
【００７７】
１１…施解錠表示キー
１７…鍵
１９…装置本体
２１…頭部
２３…全表示開口部
２５…カバー体
２７…表示窓部
２９…施錠表示部
３１…挿入検知手段（トリガー）
３３…表示部切替手段
３５…解錠表示部
３７…移動体（スライダー，揺動板）
４０…回転方向検出手段
４３…空間部
４７…位置検出手段（フリコ）
６９…検出ボス（フリコ検出ボス）
１１３…遮蔽板
１２１…開閉部材
１２９…回転板
１４７…キー穴周部
【図１】
2013019220.tif 000003
【図２】
2013019220.tif 000004
【図３】
2013019220.tif 000005
【図４】
2013019220.tif 000006
【図５】
2013019220.tif 000007
【図６】
2013019220.tif 000008
【図７】
2013019220.tif 000009
【図８】
2013019220.tif 000010
【図９】
2013019220.tif 000011
【図１０】
2013019220.tif 000012
【図１１】
2013019220.tif 000013
【図１２】
2013019220.tif 000014
【図１３】
2013019220.tif 000015
【図１４】
2013019220.tif 000016
【図１５】
2013019220.tif 000017
【図１６】
2013019220.tif 000018
【図１７】
2013019220.tif 000019
【図１８】
2013019220.tif 000020